(57)【要約】    【課題】プリント基板の導体箔の損傷を防止できるようにする。    【解決手段】取り付け孔７４及び位置決め孔７５を有し且つ少なくとも一側面に配線パターンが形成されたプリント基板６２を備え、取り付け孔７４と配線パターンとの間に、配線パターンを避けて形成された第１絶縁領域７９を備え、位置決め孔７５と配線パターンとの間に、配線パターンを避けて形成された第２絶縁領域８０を備えている。第１絶縁領域７９は取り付け孔７４の外周に、第２絶縁領域８０は位置決め孔７５の外周に夫々略同心円状にあり、その第１絶縁領域７９の幅は第２絶縁領域８０の幅よりも大である。【選択図】図４
2016144506.tif 000002
【特許請求の範囲】
【請求項１】
取り付け孔及び位置決め孔を有し且つ少なくとも一面側に配線パターンが形成されたプリント基板を備え、
前記取り付け孔と前記配線パターンとの間に、該配線パターンを避けて形成された第１絶縁領域を備え、
前記位置決め孔と前記配線パターンとの間に、該配線パターンを避けて形成された第２絶縁領域を備えた遊技機において、
前記第１絶縁領域の幅は、前記第２絶縁領域の幅よりも大である
ことを特徴とする遊技機。
【請求項２】
前記第１絶縁領域は前記取り付け孔の外周に略同心円状にあり、前記第２絶縁領域は前記位置決め孔の外周に略同心円状にある
ことを特徴とする請求項１に記載の遊技機。
【請求項３】
前記プリント基板が取り付けられる別部材を備え、
該別部材は、
前記取り付け孔に対応し且つ該取り付け孔に挿通される固定具が挿入される取り付け部と、
前記位置決め孔に挿入される位置決め突起とを備えた
ことを特徴とする請求項１又は２に記載の遊技機。
【請求項４】
前記固定具はネジである
ことを特徴とする請求項３に記載の遊技機。
【発明の詳細な説明】
【技術分野】
【０００１】
本発明は、パチンコ機、アレンジボール機、スロットマシン等の遊技機に関するものである。
【背景技術】
【０００２】
遊技機、例えばパチンコ機等の弾球遊技機は、主制御基板、演出制御基板、払い出し制御基板、電源制御基板等に多数のプリント基板を採用している（特許文献１）。
【０００３】
このプリント基板は、その一側面又は両側面にプリント配線用の導体箔を有し、この導体箔の一部をエッチング等で除去して配線パターンを形成し、その配線パターンを介してＩＣ、ダイオード、コネクタ、その他の電子部品を電気的に接続している。
【０００４】
またプリント基板は、取り付け孔、位置決め孔を備え、その位置決め孔に位置決め突起を挿入して位置決めした後、取り付け孔に挿入した固定ネジを取り付けボスに螺合して基板ケースに固定する関係から、取り付け孔、位置決め孔の外周には、取り付け孔、位置決め孔を取り囲むように、導体箔の一部をエッチング等で除去して形成された絶縁領域が略同心円状に設けられている。
【先行技術文献】
【特許文献】
【０００５】
【特許文献１】特開２００９−１５３５８４号公報
【発明の概要】
【発明が解決しようとする課題】
【０００６】
従来のプリント基板では、取り付け孔の外周の絶縁領域の内外幅は、位置決め孔の外周の絶縁領域の内外幅と同程度であるため、固定ネジの締め付けに伴い配線パターンの導体箔を損傷する問題がある。
【０００７】
例えば、先端部にカット部を有する２種タッピングネジを使用する場合には、取り付けボスの下孔の内周側の樹脂層をカット部によって切削しながらタッピングネジを取り付けボス内に螺合して行く。しかし、下孔の内径が小さければ、カット部による樹脂層の切削量が多くなり、その一部がバリとなってプリント基板側に出ることが考えられる。このようなときには、そのバリがプリント基板と取り付けボスとの間から絶縁領域の外側へと食み出して配線パターンを損傷する惧れがある。
【０００８】
また取り付けボスに固定ネジを挿入した際に、その下孔が小さければ固定ネジにより取り付けボスの外径が大になって取り付けボスの端面側が絶縁領域の外側に食み出し、それによって配線パターンを損傷する惧れもある。
【０００９】
更に第１ケース体と第２ケース体とを着脱自在に備えた基板ケース内にプリント基板を収容し、第１ケース体のボス部側から挿入した固定ネジを第２ケース体側の取り付けボスに螺合するような場合に、第１ケース体のボス部が軸心方向に圧縮されて絶縁領域の外側まで広がって配線パターンを損傷することもある。
【００１０】
本発明は、このような従来の問題点に鑑み、プリント基板の導体箔の損傷を防止できる遊技機を提供することを目的とする。
【課題を解決するための手段】
【００１１】
本発明は、取り付け孔及び位置決め孔を有し且つ少なくとも一面側に配線パターンが形成されたプリント基板を備え、前記取り付け孔と前記配線パターンとの間に、該配線パターンを避けて形成された第１絶縁領域を備え、前記位置決め孔と前記配線パターンとの間に、該配線パターンを避けて形成された第２絶縁領域を備えた遊技機において、前記第１絶縁領域の幅は、前記第２絶縁領域の幅よりも大としたものである。
前記第１絶縁領域は前記取り付け孔の外周に略同心円状にあり、前記第２絶縁領域は前記位置決め孔の外周に略同心円状にあってもよい。前記プリント基板が取り付けられる別部材を備え、該別部材は、前記取り付け孔に対応し且つ該取り付け孔に挿通される固定具が挿入される取り付け部と、前記位置決め孔に挿入される位置決め突起とを備えたものでもよい。前記固定具はネジであることが望ましい。
【発明の効果】
【００１２】
本発明によれば、プリント基板の導体箔の損傷を防止できる利点がある。
【図面の簡単な説明】
【００１３】
【図１】本発明の第１の実施形態を示すパチンコ機の正面図である。
【図２】同パチンコ機の背面図である。
【図３】同遊技情報表示手段の拡大図である。
【図４】同遊技情報表示手段の横断面図である。
【図５】同遊技情報表示手段の縦断面図である。
【図６】同遊技情報表示基板の正面図である。
【図７】同遊技情報表示基板の拡大断面図である。
【図８】本発明の第２の実施形態を示す可動演出制御手段の断面図である。
【図９】同一部破断平面図である。
【図１０】本発明の第３の実施形態を示す発光表示手段の正面図である。
【図１１】同発光表示基板の正面図である。
【図１２】同発光表示手段の縦断面図である。
【図１３】同発光表示手段の横断面図である。
【図１４】本発明の第４の実施形態を示す基板取り付け構造の縦断面図である。
【図１５】同プリント基板の正面図である。
【発明を実施するための形態】
【００１４】
以下、本発明の各実施形態を図面に基づいて詳述する。
【００１５】
図１〜図７は本発明をパチンコ機１に採用した第１の実施形態を例示する。パチンコ機１は、図１に示すように矩形状の外枠２と、この外枠２の前側にヒンジ３により縦軸廻りに開閉自在に枢着された前枠４とを備えている。なお、外枠２と前枠４とにより、遊技機本体が構成されている。
【００１６】
前枠４の上部側の遊技盤装着部には、遊技盤５が前側又は後側から着脱自在に装着されている。また、前枠４の前側には、遊技盤５の前側に対応する第１前扉６と、この第１前扉６の下側に配置された第２前扉７とが、ヒンジ３と略同一軸心上のヒンジにより縦軸廻りに開閉自在に枢支されている。なお、第１前扉６と第２前扉７とを一体にして、一つの前扉とすることも可能である。
【００１７】
前枠４の下部側には、第２前扉７の後側に対応して遊技球の発射手段８が配置されている。第２前扉７の前側には、発射用の遊技球を貯留する球供給皿９が配置され、この球供給皿９から発射手段８に遊技球を１個ずつ供給するようになっている。球供給皿９の側方には、発射手段８の発射ハンドル１０が設けられており、遊技者がこの発射ハンドル１０を操作したときに、発射手段８が球供給皿９から供給された遊技球を遊技盤５側へと発射するようになっている。
【００１８】
第１前扉６は遊技盤５の遊技領域１２に対応する透視窓１３と、遊技領域１２を視認可能に透視窓１３を塞ぐガラス板ユニット（透明板ユニット）とを有する。
【００１９】
遊技盤５の前面には、発射手段８から発射された遊技球を案内するガイドレール１４と、略円弧状の内周面を有する外飾り部材１５とが周方向に装着され、そのガイドレール１４と外飾り部材１５との内側が略円形状の遊技領域１２となっている。
【００２０】
遊技領域１２には、センターケース等の前構造体１６と、この前構造体１６の表示窓１７に対応して遊技盤５に裏側から装着された液晶表示式、その他の画像表示手段１８が略中央部に配置され、また前構造体１６の周辺に普通図柄始動手段１９、特別図柄始動手段２０、可変入賞手段２１、普通入賞手段２２等の各種の遊技部品が配置されている。
【００２１】
遊技盤５の裏面側には、図２に示すように、前構造体１６、各始動手段１９，２０、可変入賞手段２１等の遊技部品を後側から覆う裏カバー２３が装着され、この裏カバー２３の背面側に、主制御基板２４が格納された主基板ケース２５、演出制御基板２６が格納された演出基板ケース２７、液晶制御基板２８が格納された液晶基板ケース２９等が着脱自在に装着されている。
【００２２】
前枠４の裏側上部には、前側から装着された遊技盤５の裏側を開閉自在に覆う開閉カバー３１が着脱自在に装着されると共に、その上部側に遊技球タンク３２とタンクレール３３とが、左右方向一端側、例えばヒンジ３側に払い出し手段３４と払い出し通路３５とが夫々装着されている。
【００２３】
前枠４の裏側下部には、基板装着台３６が着脱自在に装着されており、この基板装着台３６の背面側に、電源基板３７が格納された電源基板ケース３８、払い出し制御基板３９が格納された払い出し基板ケース４０が夫々着脱自在に装着されている。
【００２４】
前構造体１６は、表示窓１７の上側には遊技情報表示手段４２が、下側には遊技球の転動用のステージ部４３が夫々設けられている。遊技情報表示手段４２は、図３に示すように、普通図柄表示手段４４、特別図柄表示手段４５、始動保留表示手段４６，４７を備えている。
【００２５】
普通図柄始動手段１９は通過ゲート式であって、ガイドレール１４と前構造体１６との間に配置されている。普通入賞手段２２は可変入賞手段２１の左側に配置されている。
【００２６】
特別図柄始動手段２０、可変入賞手段２１は前構造体１６と最下部のアウト球口４９との間に上下に配置されている。
【００２７】
特別図柄始動手段２０は上側の非開閉式始動口２０ａと、下側の開閉式始動口２０ｂとを有する。開閉式始動口２０ｂは左右一対の開閉部材を備えた電動チューリップ式入賞手段等により構成され、普通図柄表示手段４４の変動後の普通図柄が特定態様で停止した場合に所定の開放パターンで開放するようになっている。
【００２８】
可変入賞手段２１は特別図柄表示手段４５の変動後の特別図柄が特別態様で停止した場合に発生する特別遊技状態中に所定の開放パターンで開閉するもので、可変入賞口２１ａを開閉する開閉部材２１ｂを有し、この可変入賞口２１ａに遊技球が入賞したときに、他の普通入賞手段２２等への入賞よりも多くの賞球が払い出されるようになっている。
【００２９】
なお、可変入賞手段２１の開閉パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、特別遊技の抽選時にその複数種類の開閉パターンの何れかが抽選される。
【００３０】
普通図柄表示手段４４は普通図柄を変動表示するためのもので、その普通図柄は２個（複数）の普通図柄表示ＬＥＤ（普通図柄表示部、電子部品）５０の点灯、消灯の組み合わせにより構成され、普通図柄始動手段１９が遊技球を検出することを条件に２個の普通図柄表示ＬＥＤ５０が交互に点灯するように所定時間変動して、普通図柄始動手段１９の遊技球の検出に基づいて抽選された抽選結果が特定遊技の場合に一方の表示部が発光して停止し、それ以外の非特定遊技の場合に他方が発光して停止する。なお、変動後の普通図柄は１／１０程度の所定の確率で特定態様となる。
【００３１】
特別図柄表示手段４５は発光部位の変化等で特別図柄を変動表示可能なセグメント式の表示素子（特別図柄表示部、電子部品）５１により構成されており、特別図柄始動手段２０が遊技球を検出することを条件に特別図柄が所定時間変動して、その遊技球の検出に基づいて抽選された抽選結果が特別遊技の場合に所定の特別遊技態様で、それ以外の場合に非特別遊技態様で停止するようになっている。
【００３２】
なお、変動後の特別図柄は、通常確率状態中は１／３５０等の通常確率で特別遊技となり、特別遊技状態終了後の高確率状態中は１／３５等の高確率で特別遊技となる。
【００３３】
始動保留表示手段４６，４７は最大４個まで保留記憶可能な図柄変動の保留記憶数を表示するためのものであって、４個の保留表示ＬＥＤ（保留表示部、電子部品）５２，５３を有する。そして、始動保留表示手段４６は普通図柄表示手段４４の普通図柄の変動中に普通図柄始動手段１９が遊技球を検出した場合、始動保留表示手段４７は特別図柄表示手段４５の特別図柄の変動中に特別図柄始動手段２０が遊技球を検出した場合に、その保留表示ＬＥＤ５２，５３の発光により保留記憶数を表示するようになっている。
【００３４】
画像表示手段１８は特別図柄表示手段４５に対応する演出図柄表示手段５５を構成するもので、特別図柄の変動時にその図柄変動に同期して変動する１個又は複数個、例えば３個の演出図柄５５ａ〜５５ｃを変動表示する。
【００３５】
演出図柄５５ａ〜５５ｃは特別図柄始動手段２０の遊技球の検出を条件に、抽選により決定された所定の演出図柄変動パターンを経て所定時間変動した後、特別図柄の変動終了に同期して所定の順序で順次停止する。
【００３６】
演出図柄５５ａ〜５５ｃの変動後の停止図柄は、特別図柄が特別態様で停止する場合には二つが揃うリーチを経て全てが揃う特別演出態様となり、特別図柄が非特別態様で停止する場合には少なくとも一部が異なる非特別演出態様となる。
【００３７】
例えば、演出図柄５５ａ〜５５ｃには０〜９までの数字図柄が使用されており、特別図柄が特別態様で停止する場合には「７・７・７」等の特別演出態様で停止し、特別図柄が非特別態様で停止する場合には「２・４・５」等の非特別演出態様で停止するようになっている。
【００３８】
前構造体１６は、図４、図５に示すように、遊技盤５の装着孔５６に対応してその前面に装着された取り付けベース５７と、この取り付けベース５７の前面に配置された前カバー５８とを備えている。前カバー５８には、画像表示手段１８に対応する表示窓１７の上側で遊技情報表示手段４２に対応する表示窓５９が設けられている。
【００３９】
遊技情報表示手段４２は、図４〜図６に示すように、前カバー５８の周壁部６０等に裏側から嵌め込んで装着されたケース状の表示板６１と、この表示板６１の裏側に装着された遊技情報表示基板６２と、この遊技情報表示基板６２に装着された普通図柄表示手段４４、特別図柄表示手段４５及び始動保留表示手段４６，４７とを備え、前構造体１６の前カバー５８の表示窓５９に対応して設けられている。なお、遊技情報表示基板６２にはハードタイプのプリント基板が使用されており、表示板６１はそのプリント基板とは別の別部材を構成している。
【００４０】
遊技情報表示基板６２の前面側には、普通図柄表示手段４４と普通図柄用の始動保留表示手段４６とが左右方向の一方側の上下に配置され、特別図柄表示手段４５と特別図柄用の始動保留表示手段４７とが左右方向の他方側の左右に配置されている。また遊技情報表示基板６２の裏面側にはコネクタ（電子部品）６３が設けられ、このコネクタ６３に着脱自在なコネクタ６４、ハーネス６５を介して遊技情報表示基板６２が外部の主制御基板２４等に接続されている。
【００４１】
普通図柄表示手段４４は普通図柄表示ＬＥＤ５０を左右方向に２個備え、普通図柄用の始動保留表示手段４６は保留表示ＬＥＤ５２を左右方向に４個備えている。特別図柄表示手段４５は７セグメント式の表示素子５１を備え、特別図柄用の始動保留表示手段４７は保留表示ＬＥＤ５３を上下方向に４個備えている。
【００４２】
遊技情報表示基板６２は前面及び裏面にプリント配線用の導体箔６７を有し、その導体箔６７の一部を除去して形成された配線パターンにより各ＬＥＤ５０，５２，５３、表示素子５１、コネクタ６３等の各電子部品が電気的に接続されている。
【００４３】
表示板６１は遮光性を有する合成樹脂製であって、各ＬＥＤ５０，５２，５３に対応する表示孔６９と、表示素子５１の前側に対応する表示孔７０と、各ＬＥＤ５０，５２，５３に対応して後方に突出し且つ各ＬＥＤ５０，５２，５３からの光を各表示孔６９に導光する筒状の導光筒部７１と、遊技情報表示基板６２の取り付け部７２及び位置決め突起７３とが設けられている。
【００４４】
取り付け部７２、位置決め突起７３は、遊技情報表示基板６２側のＬＥＤ５０，５２，５３、表示素子５１等の電子部品から離れて配置されている。取り付け部７２は表示板６１の中央側から後方へと突出する取り付けボス部により構成され、その略中央に固定ネジ７７の螺合用の下穴７２ａが形成されている。
【００４５】
位置決め突起７３は支持ボス部７３ａと、この支持ボス部７３ａの中央部から突出する突起部７３ｂとを有し、取り付け部７２を挟むように遊技情報表示基板６２の対角線方向に配置される等、適当箇所に複数（例えば２個）配置されている。
【００４６】
なお、導光筒部７１、取り付け部７２及び位置決め突起７３は表示板６１に一体に設けられている。取り付け部７２の外径ａ１は、位置決め突起７３の支持ボス部７３ａの外径ｂ１と略同径であるが、支持ボス部７３ａの外径ｂ１よりも若干小径又は若干大径でもよい。
【００４７】
遊技情報表示基板６２には、図６、図７に示すように、取り付け部７２に対応する取り付け孔７４と、位置決め突起７３に対応する位置決め孔７５とが前後に貫通状に形成されており、その位置決め孔７５に位置決め突起７３の突起部７３ｂを挿入して遊技情報表示基板６２を位置決めし、且つ後側から取り付け孔７４に挿入した固定ネジ７７を取り付け部７２に螺合して遊技情報表示基板６２を固定するようになっている。
【００４８】
遊技情報表示基板６２の前後両側には、その取り付け孔７４、位置決め孔７５の外周側の導体箔６７の一部を除去して形成された第１絶縁領域７９、第２絶縁領域８０が略同心円状に設けられている。なお、取り付け孔７４の直径ａ２と位置決め孔７５の直径ｂ２は略同じである。
【００４９】
位置決め孔７５の外周の第２絶縁領域８０の外径ｂ３は、導体箔６７が位置決め突起７３の支持ボス部７３ａと接触しないように支持ボス部７３ａの外径ｂ１よりも若干大である。なお、第２絶縁領域８０の外径ｂ３は支持ボス部７３ａの外径ｂ１と略同じでもよい。
【００５０】
取り付け孔７４の外周の第１絶縁領域７９の外径ａ３は、その外側の導体箔６７が取り付け部７２、固定ネジ７７の頭部７７ａ、更には取り付け部７２に対して固定ネジ７７を螺合するときに発生するバリ等と接触しないように、取り付け部７２の外径ａ１、固定ネジ７７の頭部７７ａの外径ａ４よりも大であり且つ位置決め孔７５の外周の第２絶縁領域８０の外径ｂ３よりも大になっている。従って、取り付け孔７４の外周の第１絶縁領域７９の内外幅ａ５は、位置決め孔７５の外周の第２絶縁領域８０の内外幅ｂ５よりも大である。
【００５１】
この遊技情報表示手段４２を組み立てる場合には、先ず遊技情報表示基板６２の位置決め孔７５に位置決め突起７３の突起部７３ｂを挿入して、表示板６１の表示孔６９、導光筒部７１が各ＬＥＤ５０，５２，５３に対応し且つ表示素子５１が表示孔７０に対応するように遊技情報表示基板６２を位置決めする。次に遊技情報表示基板６２の取り付け孔７４に後側から固定ネジ７７を挿入し取り付け部７２の下穴７２ａに螺合して、この固定ネジ７７により遊技情報表示基板６２を表示板６１の取り付け部７２に固定する。
【００５２】
このように遊技情報表示基板６２を表示板６１に固定する際に、取り付け部７２、位置決め突起７３等による導体箔６７の損傷を防止することができる。即ち、位置決め孔７５の周辺の第２絶縁領域８０の外径ｂ３は、位置決め突起７３の支持ボス部７３ａの外径ｂ１よりも大であるため、遊技情報表示基板６２の前面側の導体箔６７が支持ボス部７３ａと接触して配線パターンが損傷するような問題はない。
【００５３】
また取り付け孔７４の周辺の第１絶縁領域７９の外径ａ３は、取り付け部７２、固定ネジ７７の頭部７７ａの外径ａ１，ａ４よりも大であり、位置決め孔７５の周辺の第２絶縁領域８０よりも大径であるため、遊技情報表示基板６２の前後両側の導体箔６７が、取り付け部７２及び固定ネジ７７の頭部７７ａと接触したり、固定ネジ７７の螺合により発生するバリと接触したりする等の問題がなく、それらの接触により配線パターンが損傷するような惧れもない。
【００５４】
図８、図９は本発明の第２の実施形態を示し、例えば遊技盤５の裏側に装着される可動演出制御手段８１に採用したものである。可動演出制御手段８１は、図８に示すように、基板ケース８２に収容された可動演出制御基板（プリント基板）８３に実装されており、例えばコネクタ８４に接続された演出制御手段等からの演出指令に従って、コネクタ８５に接続された制御対象の可動演出手段（図示省略）を制御するようになっている。
【００５５】
可動演出制御基板８３には、図９に示すように、上下両面にプリント配線用の導体箔６７により構成された配線パターンが設けられ、また上面側に配線パターンを介して相互に接続された集積回路素子８６、抵抗、コネクタ等の電子部品が装着されている。
【００５６】
基板ケース８２は、図８に示すように、可動演出制御基板８３を下側から受ける第１ケース８７と、可動演出制御基板８３を上側から覆う第２ケース８８とを備えている。第１ケース８７は底壁部８９と周壁部９０とを備え、その底壁部８９上に取り付け部７２、位置決め突起７３が一体に形成され、また周壁部９０の内周側に可動演出制御基板８３の外周側を受ける受け部９１が一体に形成されている。なお、第１ケース８７、第２ケース８８は共に別部材を構成する。
【００５７】
第２ケース８８は可動演出制御基板８３上の電子部品と干渉しない位置に取り付け部７２に対応して取り付け用凹部９２を備え、その取り付け用凹部９２の取り付け孔７４側から第１ケース８７の取り付け部７２の中心部分に螺合する固定ネジ７７により、可動演出制御基板８３を挟んで第１ケース８７と第２ケース８８とが共締めされている。取り付け用凹部９２には、可動演出制御基板８３側に突出する取り付け部９３が設けられている。取り付け部９３は第１ケース８７側の取り付け部７２と略同径である。
【００５８】
可動演出制御基板８３は取り付け孔７４及び位置決め孔７５を有し、その取り付け孔７４及び位置決め孔７５の外周には、第１の実施形態と同様に導体箔６７の一部を除去して形成された第１絶縁領域７９、第２絶縁領域８０が略同心円状に設けられている。第１絶縁領域７９の外径ａは、第２絶縁領域８０の外径ｂよりも大である。他の構成は第１の実施形態と同様である。
【００５９】
このように第１ケース８７の取り付け部７２と第２ケース８８の取り付け部９３とにより可動演出制御基板８３を両側から挟んで固定ネジ７７により共締めで固定する場合にも、可動演出制御基板８３の導体箔６７を除去した第１絶縁領域７９を設けることにより、第１ケース８７の取り付け部７２側で発生するバリによる配線パターンの損傷は勿論のこと、固定ネジ７７の締め付けにより取り付け部９３が軸心方向に圧縮されて、その取り付け部９３の可動演出制御基板８３側が大径に膨らむようなことがあっても、配線パターンの損傷を防止できる。
【００６０】
第２ケース８８の取り付け部９３を可動演出制御基板８３上に当接させた後、その取り付け部９３側から可動演出制御基板８３の取り付け穴７４に固定ネジ７７を挿通して可動演出制御基板８３を取り付け部７２側に固定する場合には、可動演出制御基板８３の取り付け孔７４に直接固定ネジ７７を挿入して固定する場合に比較して、その取り付け孔７４の外周の第１絶縁領域７９の内外幅を大きくとることが望ましい。
【００６１】
この実施形態では、基板ケース８２の第１ケース８７と第２ケース８８との間に可動演出制御基板８３を収容しているが、第１ケース８７と第２ケース８８との一方側を可動演出制御基板８３の支持部材としてもよい。
【００６２】
図１０〜図１３は本発明の第３の実施形態を示し、前構造体１６の前カバー５８の前面を裏側から発光させる発光表示手段９４に採用したものである。前構造体１６は、図１０、図１２及び図１３に示すように、遊技盤５の装着孔５６に対応して設けられた取り付けベース５７と、この取り付けベース５７の前面に設けられ且つ光透過性を有する前カバー５８とを備え、その前カバー５８の適当箇所の裏側に発光表示手段９４が配置されている。
【００６３】
発光表示手段９４は、前カバー５８に設けられた縦長状の発光表示部９５と、この発光表示部９５の裏側に配置された縦長状のフレキシブルタイプの発光表示基板（プリント基板）９６と、この発光表示基板９６の前面に装着されたＬＥＤ（発光体）９７とを備えている。
【００６４】
発光表示部９５は左右に蛇行しながら前後に屈曲しており、上下方向に複数の仕切り部９８と、この仕切り部９８間に形成された発光領域９９とを有する。なお、発光領域９９の裏側には、ＬＥＤ９７からの光を拡散させる拡散シートを設けてもよい。発光領域９９の裏側には拡散シートに代えて凹凸状の乱反射部を設けてもよい。
【００６５】
各仕切り部９８の裏側には、前側に位置する仕切り部９８に取り付け部７２が、それよりも後側に位置する仕切り部９８に位置決め突起７３が夫々設けられている。発光表示基板９６は発光表示部９５の蛇行形状に合わせて蛇行する帯状であって、位置決め孔７５に挿通する位置決め突起７３により発光表示部９５に沿って位置決めされると共に、取り付け孔７４に裏側から挿入して取り付け部７２に螺合される固定ネジ７７により固定されている。取り付け部７２は略中央に固定ネジ７７の下穴７２ａを有し、またその外径は位置決め突起７３の支持ボス部７３ａの外径と略同じである。
【００６６】
発光表示基板９６の前後両面には、図１１、図１２に示すように、プリント配線用の導体箔６７により構成された配線パターンが設けられ、また前面側に各発光領域９９に対応して複数のＬＥＤ９７が、裏面側の一端部にコネクタ１００が夫々装着されている。ＬＥＤ９７、コネクタ１００は配線パターンにより相互に電気的に接続されている。
【００６７】
発光表示基板９６の取り付け孔７４、位置決め孔７５は略同径であり、その外周には導体箔６７をエッチング等で除去して形成された第１絶縁領域７９、第２絶縁領域８０が略同心円状に設けられている。位置決め孔７５の外周の第１絶縁領域７９、第２絶縁領域８０は、位置決め突起７３の支持ボス部７３ａの外径よりも大であり、取り付け孔７４の外周の第１絶縁領域７９は、位置決め孔７５の外周の第２絶縁領域８０の外径よりも大である。他の構成は各実施形態と同様である。
【００６８】
このように発光表示基板９６を使用する場合にも、その取り付け孔７４及び位置決め孔７５の外周に導体箔６７のない第１絶縁領域７９、第２絶縁領域８０を設けることにより、その導体箔６７の損傷を防止することができる。
【００６９】
図１４及び図１５は本発明の第４の実施形態を示し、プリント基板１０１の取り付け構造において、そのプリント基板１０１の隅部側で支持壁（別部材）１０２に位置決めして固定するようにしたものである。プリント基板１０１には、図１４に示すように、両面にプリント配線用の導体箔６７が設けられ、その導体箔６７により形成された配線パターンを介して集積素子等の電子部品１０３が電気的に接続されている。プリント基板１０１には異なる隅部に取り付け孔７４と位置決め孔７５とが設けられ、その取り付け孔７４及び位置決め孔７５と導体箔６７との間には、導体箔６７を除去した第１絶縁領域７９、第２絶縁領域８０が形成されている。
【００７０】
支持壁１０２には、図１５に示すように、プリント基板１０１の取り付け孔７４、位置決め孔７５に対応して取り付け部７２、位置決め突起７３が設けられている。プリント基板１０１は位置決め突起７３と取り付け部７２に螺合する固定ネジ７７とにより支持壁１０１に固定されている。
【００７１】
取り付け孔７４の外周の第１絶縁領域７９は取り付け部７２の外径よりも外側に広がっており、位置決め孔７５の外周の第２絶縁領域８０は位置決め突起７３の支持ボス部７３ａの外径よりも外側に広がっている。そして、取り付け孔７４の外周の第１絶縁領域７９の幅ａは、位置決め孔７５の外周の第２絶縁領域８０の幅ｂよりも大である。
【００７２】
このような構成のプリント基板１０１では、その隅部に取り付け部７２、位置決め突起７３を配置する場合にも、導体箔６７の損傷を防止することができる。従って、取り付け孔７４、位置決め孔７５をプリント基板１０１の導体箔６７によって取り囲まれる領域外に設ける場合にも、他の実施形態と同様に実施することが可能である。
【００７３】
以上、本発明の各実施形態について例示したが、本発明はこの各実施形態に限定されるものではなく、本発明の趣旨を逸脱しない範囲で種々の変更が可能である。例えば、各実施形態ではパチンコ機について例示したが、パチンコ機１以外のアレンジボール機、雀球機、スロットマシンその他の遊技機に広く採用可能である。
【００７４】
プリント基板はハードタイプ、フレキシブルタイプのいずれでもよい。導体箔はプリント基板の片面のみの一面側でもよいし、両面でもよい。プリント基板に当接する別部材は、プリント基板の片側でもよいし、プリント基板の両側でもよい。またプリント基板に当接する別部材は、プリント基板を収容する基板ケース、プリント基板を支持する支持部材、プリント基板を支持部材側に押える押え部材等、プリント基板とは別の部材であればよい。
【００７５】
プリント基板を別部材に固定する固定具は、タッピングネジ等の固定ネジ等が一般的であるが、圧入式の圧入ピン等を利用することもできる。電子部品はＬＥＤ、ＩＣ、コネクタ等に限らず、抵抗、ダイオード、その他の一切のものが含まれる。
【符号の説明】
【００７６】
５  遊技盤
４２  遊技情報表示手段
４４  普通図柄表示手段
４５  特別図柄表示手段
４６，４７  始動保留表示手段
５０  普通図柄表示ＬＥＤ（電子部品）
５１  表示素子（電子部品）
６１  表示板（別部材）
６２  遊技情報表示基板
６３  コネクタ（電子部品）
６７  導体箔
７２  取り付け部
７３  位置決め突起
７３ａ  支持ボス部
７４  取り付け孔
７５  位置決め孔
７９  第１絶縁領域
８０  第２絶縁領域
【図１】
2016144506.tif 000003
【図２】
2016144506.tif 000004
【図３】
2016144506.tif 000005
【図４】
2016144506.tif 000006
【図５】
2016144506.tif 000007
【図６】
2016144506.tif 000008
【図７】
2016144506.tif 000009
【図８】
2016144506.tif 000010
【図９】
2016144506.tif 000011
【図１０】
2016144506.tif 000012
【図１１】
2016144506.tif 000013
【図１２】
2016144506.tif 000014
【図１３】
2016144506.tif 000015
【図１４】
2016144506.tif 000016
【図１５】
2016144506.tif 000017
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
プリント基板と該プリント基板が取り付けられる取り付け部材とを備え、
前記プリント基板は少なくとも一側面に形成された配線パターンと、該プリント基板に貫通状に形成された取り付け孔及び位置決め孔とを有し、
前記取り付け部材は先端が前記プリント基板に当接し且つ前記取り付け孔に挿通された固定ネジが螺合される取り付けボスと、支持ボスの先端が前記プリント基板に当接し且つ該支持ボスから突出する突起部が前記位置決め孔に挿入される位置決め突起とを備えた
遊技機において、
前記取り付け孔及び前記位置決め孔は前記配線パターンに囲まれた部分に配置され、
前記プリント基板は前記取り付け孔と前記配線パターンとの間に前記取り付け孔と略同心状に形成された第１絶縁領域と、前記位置決め孔と前記配線パターンとの間に前記位置決め孔と略同心状に形成された第２絶縁領域とを前記配線パターンが形成された側に備え、
前記第２絶縁領域は前記支持ボスよりも大径であり、
前記第１絶縁領域は前記取り付けボス及び前記固定ネジの頭部よりも大径であり、
前記取り付け孔と前記配線パターンとの間の前記第１絶縁領域の幅は、前記位置決め孔と前記配線パターンとの間の前記第２絶縁領域の幅よりも大である
ことを特徴とする遊技機。
【手続補正２】
【補正対象書類名】明細書
【補正対象項目名】００１０
【補正方法】変更
【補正の内容】
【００１０】
本発明は、このような従来の問題点に鑑み、プリント基板の配線パターンの損傷を防止できる遊技機を提供することを目的とする。
【手続補正３】
【補正対象書類名】明細書
【補正対象項目名】００１１
【補正方法】変更
【補正の内容】
【００１１】
本発明は、プリント基板と該プリント基板が取り付けられる取り付け部材とを備え、前記プリント基板は少なくとも一側面に形成された配線パターンと、該プリント基板に貫通状に形成された取り付け孔及び位置決め孔とを有し、前記取り付け部材は先端が前記プリント基板に当接し且つ前記取り付け孔に挿通された固定ネジが螺合される取り付けボスと、支持ボスの先端が前記プリント基板に当接し且つ該支持ボスから突出する突起部が前記位置決め孔に挿入される位置決め突起とを備えた遊技機において、前記取り付け孔及び前記位置決め孔は前記配線パターンに囲まれた部分に配置され、前記プリント基板は前記取り付け孔と前記配線パターンとの間に前記取り付け孔と略同心状に形成された第１絶縁領域と、前記位置決め孔と前記配線パターンとの間に前記位置決め孔と略同心状に形成された第２絶縁領域とを前記配線パターンが形成された側に備え、前記第２絶縁領域は前記支持ボスよりも大径であり、前記第１絶縁領域は前記取り付けボス及び前記固定ネジの頭部よりも大径であり、前記取り付け孔と前記配線パターンとの間の前記第１絶縁領域の幅は、前記位置決め孔と前記配線パターンとの間の前記第２絶縁領域の幅よりも大にしたものである。
【手続補正４】
【補正対象書類名】明細書
【補正対象項目名】００１２
【補正方法】変更
【補正の内容】
【００１２】
本発明によれば、プリント基板の配線パターンの損傷を防止できる利点がある。
【手続補正５】
【補正対象書類名】図面
【補正対象項目名】図６
【補正方法】変更
【補正の内容】
【図６】
2016144506.tif 000018